(57)【要約】【課題】誤動作によりドアが開くのを防止することができる食器洗い機を提供すること。【解決手段】食器洗い機は、開口部を有する洗浄機本体と、開口部を塞ぐドアを有し、洗浄機本体内に開口部から出し入れ自在に収納された洗浄槽と、ドアの開動作を行うドア開装置と、洗浄機本体の外面又はドアの外面に設けられ、スイッチ信号を出力する操作部と、操作部により出力されたスイッチ信号を検知するとドアスタンバイモードに移行し、ドアスタンバイモード中にスイッチ信号を検知しなくなった後、スイッチ信号を検知した場合に、開動作を行うように、ドア開装置を制御する制御装置とを備える。【選択図】図８
2019165823.tif 000002
【特許請求の範囲】
【請求項１】
開口部を有する洗浄機本体と、
前記開口部を塞ぐドアを有し、前記洗浄機本体内に前記開口部から出し入れ自在に収納された洗浄槽と、
前記ドアの開動作を行うドア開装置と、
前記洗浄機本体の外面又は前記ドアの外面に設けられ、スイッチ信号を出力する操作部と、
前記操作部により出力された前記スイッチ信号を検知するとドアスタンバイモードに移行し、前記ドアスタンバイモード中に前記スイッチ信号を検知しなくなった後、前記スイッチ信号を検知した場合に、前記開動作を行うように、前記ドア開装置を制御する制御装置と
を備える食器洗い機。
【請求項２】
前記制御装置は、前記ドアスタンバイモード中に前記スイッチ信号を検知した後、前記スイッチ信号を検知しなくなったときに前記ドア開装置を制御する
請求項１に記載の食器洗い機。
【請求項３】
前記洗浄槽内の食器を洗浄する洗浄装置をさらに備え、
前記制御装置は、前記ドアスタンバイモードに移行したとき、前記洗浄装置の運転を停止させる
請求項１又は２に記載の食器洗い機。
【請求項４】
前記ドアスタンバイモードに移行したことを報知する報知部をさらに備えた
請求項１〜３のいずれか１項に記載の食器洗い機。
【請求項５】
前記報知部は、光により報知するランプを有する
請求項４に記載の食器洗い機。
【請求項６】
前記報知部は、音により報知するブザーを有する
請求項４又は５に記載の食器洗い機。
【請求項７】
前記制御装置は、前記ドアスタンバイモードに移行して、予め設定された有効期間が経過すると、前記ドアスタンバイモードを解除する
請求項１〜６のいずれか１項に記載の食器洗い機。
【請求項８】
前記制御装置は、前記スイッチ信号が設定時間連続して検知された場合に前記ドアスタンバイモードを解除する
請求項１〜７のいずれか１項に記載の食器洗い機。
【請求項９】
前記操作部は、接触を検知するタッチスイッチを有する
請求項１〜８のいずれか１項に記載の食器洗い機。
【発明の詳細な説明】
【技術分野】
【０００１】
本発明は、洗浄機本体内に洗浄槽が収納された食器洗い機に関する。
【背景技術】
【０００２】
従来、食器洗い機において、洗浄槽の前面に取り付けられたドアに取っ手が設けられ、利用者が取っ手を引くことにより洗浄槽が洗浄機本体から引き出されるものがある。一方、デザイン性を向上させるために取っ手を無くすことが望まれている。そこで、ドアに開スイッチを設け、ドアを自動的に開く技術が知られている（例えば、特許文献１参照）。特許文献１の食器洗い機において、モータを有するドア開装置が設けられ、利用者が開スイッチを押したときに洗浄槽が食器洗浄機本体から押し出される。
【先行技術文献】
【特許文献】
【０００３】
【特許文献１】特開２００８−７３１２９号公報
【発明の概要】
【発明が解決しようとする課題】
【０００４】
特許文献１の食器洗い機において、開スイッチは、利用者が操作し易いように本体正面側に配置される。したがって、利用者が意図せず開スイッチに触ってしまい、ドアが開いてしまう場合がある。特に、キッチンカウンタに組み込まれるビルドイン式の食洗洗い機では、開スイッチは露出した正面のドアに設けられるため、設置型のものに比べ、利用者の膝等が開スイッチに当たる頻度も高くなる。
【０００５】
本発明は、上記のような課題を解決するためになされたもので、誤動作によりドアが開くことを防止する食器洗い機を提供することを目的とする。
【課題を解決するための手段】
【０００６】
本発明に係る食器洗い機は、開口部を有する洗浄機本体と、前記開口部を塞ぐドアを有し、前記洗浄機本体内に前記開口部から出し入れ自在に収納された洗浄槽と、前記ドアの開動作を行うドア開装置と、前記洗浄機本体の外面又は前記ドアの外面に設けられ、スイッチ信号を出力する操作部と、前記操作部により出力された前記スイッチ信号を検知するとドアスタンバイモードに移行し、前記ドアスタンバイモード中に前記スイッチ信号を検知しなくなった後、前記スイッチ信号を検知した場合に、前記開動作を行うように、前記ドア開装置を制御する制御装置とを備える。
【発明の効果】
【０００７】
本発明の食器洗い機によれば、一度目の操作でドアスタンバイモードに移行し、二度目の操作でドア開くことにより、利用者が意図的に操作しなければ開かないため、誤動作によりドアが開くのを防止することができる。
【図面の簡単な説明】
【０００８】
【図１】本発明の実施の形態１に係る食器洗い機のキッチンカウンタに設置された状態を示す正面図である。
【図２】本発明の実施の形態１に係る食器洗い機の構造を示す縦断面図である。
【図３】本発明の実施の形態１に係るタッチスイッチの構成を概念的に示す説明図である。
【図４】本発明の実施の形態１に係るドア開装置の概略構成を示す平面図である。
【図５】本発明の実施の形態１に係るドア開装置の閉状態を示す側面図である。
【図６】本発明の実施の形態１に係るドア開閉の開状態を示す側面図である。
【図７】本発明の実施の形態１に係る食器洗い機の電気回路構成を示すブロック図である。
【図８】本発明の実施の形態１に係るドア開装置の動作を示すフローチャートである。
【図９】本発明の実施の形態２に係るドア開装置の動作を示すフローチャートである。
【図１０】本発明の実施の形態３に係るドア開装置の動作を示すフローチャートである。
【図１１】本発明の実施の形態４に係るドア開装置の動作を示すフローチャートである。
【図１２】本発明の実施の形態５に係るドア開装置の動作を示すフローチャートである。
【発明を実施するための形態】
【０００９】
実施の形態１．
図１は、本発明の実施の形態１に係る食器洗い機のキッチンカウンタに設置された状態を示す正面図である。食器洗い機１００は、食器の洗浄及び乾燥等を行うものである。図１に示されるように、食器洗い機１００は、キッチンカウンタ２００に設けられた収容部２００ａ内にビルトインされている。図１の矢印Ｘ方向は食器洗い機１００の幅方向を表し、矢印Ｚ方向は食器洗い機１００の高さ方向を表している。
【００１０】
図２は、本発明の実施の形態１に係る食器洗い機の構造を示す縦断面図である。図２の矢印Ｙ方向は食器洗い機１００の奥行き方向を表している。図２に示されるように、食器洗い機１００は、洗浄機本体１と、洗浄槽２と、内蓋３と、制御装置４と、ドア開装置７とを備える。洗浄機本体１は、前方に開口部１ａを有する箱状に形成され、洗浄槽２を収納している。
【００１１】
洗浄槽２は上方が開口した箱状のものであり、内部には食器２１等が載置される食器かご２２が収容される。洗浄槽２の両側面の下部には、奥行き方向（矢印Ｙ方向）に延びるレール２３がそれぞれ設けられている。洗浄機本体１のレール２３と対向する位置には、図示しないガイドレールが設けられている。洗浄槽２は、洗浄機本体１の開口部１ａから出し入れ自在に、レール２３を介して洗浄機本体１に支持されている。ドア開装置７等により洗浄槽２に奥行き方向（矢印Ｙ方向）の力がかかると、レール２３がガイドレールをスライドし、洗浄槽２が移動する。洗浄槽２が洗浄機本体１の開口部１ａから前方に出された状態で、洗浄槽２の開口を介して食器２１等が出し入れされる。
【００１２】
洗浄槽２は、前面に、洗浄機本体１の開口部１ａを塞ぐドア１０を有している。図１に示されるように、ドア１０は、上部化粧パネル１１と、下部化粧パネル１２と、操作パネル１３とを有している。上部化粧パネル１１及び下部化粧パネル１２は、キッチンカウンタ２００において隣接する周囲の構築物の表面材と統一した素材及びデザインを有し、キッチンカウンタ２００の予め決められた高さに配置されている。
【００１３】
操作パネル１３は、食器洗い機１００の幅方向（矢印Ｘ方向）に延びる長尺部材であり、上部化粧パネル１１と下部化粧パネル１２との間に配置されている。操作パネル１３には、利用者の操作を受け付ける操作部８と、利用者に対して動作状態を報知する報知部９と、洗浄槽２の内部に連通した排気口２４とが設けられている。排気口２４は、食器洗い機１００が乾燥を行う際、洗浄槽２内の空気の出口となる。
【００１４】
操作部８は、ドア１０を開放するための開スイッチ８０を有している。開スイッチ８０は、例えばタッチスイッチ等から成り、利用者により操作されるとスイッチ信号Ｓｏを出力する。報知部９は、例えば光を発するランプ等から成り、必要に応じて点灯又は点滅する。操作部８及び報知部９は、それぞれ制御装置４に電気的に接続されている。
【００１５】
図２に示されるように、内蓋３は、洗浄槽２の上面であって洗浄機本体１の内部に設けられ、洗浄機本体１に固定されている。内蓋３は、洗浄槽２が洗浄機本体１内に完全に収納されているとき、洗浄槽２の上方の開口を閉塞する。
【００１６】
また食器洗い機１００は、ラッチ装置６１と、ドア開放検知装置６２とを備える。ラッチ装置６１は、洗浄機本体１内に収納された洗浄槽２を保持する。洗浄槽２が洗浄機本体１内に完全に収納されると、ラッチ装置６１は、洗浄槽２を洗浄機本体１へ付勢し、洗浄槽２の前面に設けられたドア１０を閉じた状態に保持する。
【００１７】
ドア開放検知装置６２は、ドア１０が開放されているか否かを検知するものであり、例えば磁石６２ａとリードスイッチ６２ｂとにより形成されている。磁石６２ａは洗浄機本体１の底面に配置され、リードスイッチ６２ｂは、洗浄槽２の底板２ａであってドア１０が閉じているときに磁石６２ａと対向する位置に配置される。ドア１０が閉じると、磁石６２ａとリードスイッチ６２ｂとが一定距離内に位置してリードスイッチ６２ｂがＯＮ状態になる。ドア１０が開き、磁石６２ａとリードスイッチ６２ｂとが一定距離よりも離れているとき、リードスイッチ６２ｂはＯＦＦ状態になる。
【００１８】
また洗浄機本体１内には、食器２１等の洗浄及び乾燥を行うための洗浄装置が設置されている。具体的には、洗浄装置は、給水弁５１と、洗浄ポンプ５２と、洗浄ノズル５３と、水量検出装置５４と、第１のヒータ５５と、温度検出装置５６と、排水ポンプ５７と、送風機５８と、第２のヒータ５９等といった各種部品により形成されている。
【００１９】
給水弁５１は、洗浄槽２の後部と洗浄機本体１との間に設けられ、洗浄槽２への水道水の供給を制御する。洗浄ポンプ５２は洗浄槽２に設けられており、下部２ｂに貯留された洗浄水を洗浄ノズル５３に圧送する。洗浄ノズル５３は、洗浄槽２内の食器かご２２の下方に設けられ、洗浄ポンプ５２から供給された洗浄水を噴射する。水量検出装置５４は、例えばフロートを用いた検知装置から成り、洗浄槽２の下部２ｂに予め設定された量の洗浄水が給水されたかを検知する。第１のヒータ５５は洗浄槽２内に設けられ、貯留された洗浄水を加熱する。温度検出装置５６は、洗浄水の温度を検出する。排水ポンプ５７は、洗浄槽２に設けられており、洗浄槽２内の洗浄水を食器洗い機１００の外へ排出する。
【００２０】
送風機５８は、洗浄槽２内へ外気を供給するものであって、洗浄槽２内の高温多湿の空気を、ドア１０に設けられた排気口２４を介して食器洗い機１００の外へ排出させる。第２のヒータ５９は、送風機５８と洗浄槽２とを連通する風路に設けられ、洗浄槽２へ供給される外気を加熱する。上述した各種部品は、制御装置４に電気的に接続されている。
【００２１】
制御装置４は、例えば、ドア１０の内部に配置される。制御装置４は、制御基板４１（図３参照）と、制御基板４１に実装されたマイクロコンピュータ４２（図７参照）等とにより形成されている。マイクロコンピュータ４２は、ＣＰＵ（Ｃｅｎｔｒａｌ  Ｐｒｏｃｅｓｓｉｎｇ  Ｕｎｉｔ）及び各種メモリ等を有しており、食器洗い機１００全体の動作を制御する。
【００２２】
図３は、本発明の実施の形態１に係るタッチスイッチの構成を概念的に示す説明図である。図３に基づき、上述した開スイッチ８０が接触型のタッチスイッチである場合を例に、開スイッチ８０の構成及び動作について詳細に説明する。タッチスイッチは、利用者が指等でタッチすることにより静電容量が変化する。そして、静電容量の変化が制御基板４１に伝わってマイクロコンピュータ４２によりスイッチ信号Ｓｏが検知される。
【００２３】
開スイッチ８０は、タッチスイッチ部８１と、ゴム電極部８２と、制御基板４１に銅箔で形成されている４つの電極パターン８３ａ、８３ｂ、８３ｃ、８３ｄとを有している。
【００２４】
タッチスイッチ部８１は、外面が前方に突出した直方体状で背面側が窪んだ箱状の部材であり、例えば樹脂から成っている。タッチスイッチ部８１は、後端の左右にフランジ部８１ａを有しており、各フランジ部８１ａには孔部８１ｂが形成されている。タッチスイッチ部８１は、孔部８１ｂに挿入したねじ等によりフランジ部８１ａを介して操作パネル１３に固定されており、前面８１ｃが食器洗い機１００の外部に露出している。
【００２５】
ゴム電極部８２は直方体状の部材で、導電性のゴムから成る複数のゴム電極８２１を有している。複数のゴム電極８２１はタッチスイッチ部８１の長手方向に沿って一列に配置されている。それぞれのゴム電極８２１は前端から後端に亘り延びる導体であり、周囲が絶縁性のゴムにより覆われている。タッチスイッチ部８１及びゴム電極部８２は、長手方向が食器洗い機１００の幅方向（矢印Ｘ方向）に沿って延びるよう配置されている。ゴム電極部８２は前部がタッチスイッチ部８１の背面側の窪みに収容され、複数のゴム電極８２１の前面がタッチスイッチ部８１の窪みの底面と接触又は近接して配置される。つまり、複数のゴム電極８２１の前面は、タッチスイッチ部８１の前面８１ｃの裏面側に位置している。
【００２６】
複数のゴム電極８２１の後端は、制御基板４１の４つの電極パターン８３ａ、８３ｂ、８３ｃ、８３ｄの表面に塗布されたレジストと接触して配置される。つまり、タッチスイッチ部８１と４つの電極パターン８３ａ、８３ｂ、８３ｃ、８３ｄとは、複数のゴム電極８２１を介して静電容量結合している。したがって、利用者が指等でタッチスイッチ部８１に触れることにより発生する静電容量の変化は、複数のゴム電極８２１により４つの電極パターン８３ａ、８３ｂ、８３ｃ、８３ｄに伝達され、検知される。なお、ゴム電極８２１とは別の導電部材により、タッチスイッチ部８１と４つの電極パターン８３ａ、８３ｂ、８３ｃ、８３ｄとを静電容量結合させる構成であってもよい。また電極パターンはいくつ設けられても良い。
【００２７】
なお、開スイッチ８０は、利用者により押された場合にスイッチ信号Ｓｏを出力する押しスイッチであってもよい。また操作部８は、食器洗い機１００の外部に露出した部分であって利用者が操作できる位置にあればよく、ドア１０の外面及び洗浄機本体１の外面のどこに設けられても良い。
【００２８】
図４は、本発明の実施の形態１に係るドア開装置の概略構成を示す平面図である。図５は、本発明の実施の形態１に係るドア開装置の閉状態を示す側面図である。図６は、本発明の実施の形態１に係るドア開閉の開状態を示す側面図である。図２及び図４〜図６に基づき、ドア開装置７の構成について説明する。
【００２９】
ドア開装置７は、洗浄槽２を前方向（図２の矢印Ｙ１方向）に駆動させ、ドア１０を開放させる開動作を行う。ドア開装置７は、本体部７１と、モータ７２と、ピニオンギア７３と、スライドシャフト７４と、閉検知スイッチ７６とを有している。
【００３０】
本体部７１は、洗浄槽２の底板２ａに取り付けられている。本体部７１には、奥行き方向（矢印Ｙ方向）に延びるシャフト溝７１ａが形成されている。モータ７２は、本体部７１に設置されており、通電によりモータ軸７２ａが回転する。ピニオンギア７３は、モータ軸７２ａに固定されており、モータ軸７２ａの回転にともなって回転する。スライドシャフト７４には、ピニオンギア７３に係合するラック部７４ａが形成されている。スライドシャフト７４は、シャフト溝７１ａにスライド自在に挿入され、本体部７１に設けられた保持部７１ｂにより保持されている。
【００３１】
閉検知スイッチ７６は、例えばリミットスイッチ等から成り、スライドシャフト７４の位置によりドア１０が閉じたことを検知する。閉検知スイッチ７６は、シャフト溝７１ａの最奥部に設けられており、スライドシャフト７４が最奥部まで挿入されると押されてＯＮ状態になる。閉検知スイッチ７６からの信号は、制御装置４へ送信される。
【００３２】
次に、図２、図５及び図６に基づき、ドア開装置７の開動作について説明する。モータ７２がピニオンギア７３を矢印Ａ方向に回転させるように駆動されると、スライドシャフト７４は、本体部７１に対して後方側へ移動する。スライドシャフト７４の後方端７４ｂは、洗浄機本体１の後壁１ｃに接触するよう配置されているので、スライドシャフト７４が本体部７１から伸び出すと、洗浄機本体１の後壁１ｃを支点に本体部７１が前方へ移動する。したがって、本体部７１が取り付けられている洗浄槽２も本体部７１と一体となって前方（図２の矢印Ｙ１方向）へ移動する。
【００３３】
このように、ドア開装置７が開動作を行う際、モータ７２の動力が、ピニオンギア７３を介してスライドシャフト７４に伝達する。これにより、洗浄機本体１と洗浄槽２との間に力が作用し、洗浄槽２が洗浄機本体１内から押し出され、ドア１０が開放された状態となる。ここで、モータ７２に印加される電圧は、モータ７２の動力により、洗浄槽２を保持しているラッチ装置６１を解除し、かつ食器２１及び洗浄装置の荷重がかかった洗浄槽２を押し出すことができるよう、予め設定されている。
【００３４】
また、ピニオンギア７３を矢印Ａ方向とは逆方向に回転させるようモータ７２が駆動されたときには、スライドシャフト７４が本体部７１内に引き戻され、手動で洗浄槽２を本体部７１内に押し込めるようになる。その後、図５のように、スライドシャフト７４がシャフト溝７１ａの最奥部まで挿入されると、閉検知スイッチ７６によりドア１０が閉じたことが検知され、モータ７２が停止される。
【００３５】
図７は、本発明の実施の形態１に係る食器洗い機の電気回路構成を示すブロック図である。制御装置４は、各種部品をそれぞれ駆動する複数の駆動回路を有しており、各駆動回路はマイクロコンピュータ４２に電気的に接続されている。ヒータ駆動回路４３は、第１のヒータ５５及び第２のヒータ５９を駆動する。給水弁駆動回路４４と、洗浄ポンプ駆動回路４５と、排水ポンプ駆動回路４６と、送風機駆動回路４７は、給水弁５１と、洗浄ポンプ５２と、排水ポンプ５７と、送風機５８をそれぞれ駆動する。また制御装置４は、報知部９を駆動する報知部駆動回路４８と、ドア開装置７のモータ７２を駆動するドア開装置駆動回路４９とを有している。
【００３６】
また制御装置４には、モータ７２に過電流が流れるのを検知する過電流検知装置６３が設けられている。具体的には、過電流検知装置６３は、ドア開装置駆動回路４９の電流を計測し、計測した電流が予め設定された電流値以上になった場合に過電流として検知する。
【００３７】
マイクロコンピュータ４２には、操作部８と、水量検出装置５４と、温度検出装置５６と、ドア開放検知装置６２と、過電流検知装置６３と、閉検知スイッチ７６とから信号が入力される。またマイクロコンピュータ４２は、第１のヒータ５５、第２のヒータ５９、給水弁５１、洗浄ポンプ５２、排水ポンプ５７、送風機５８、モータ７２及び報知部９のそれぞれを制御する信号を、対応する駆動回路に出力する。
【００３８】
マイクロコンピュータ４２は、操作部８の開スイッチ８０からのスイッチ信号Ｓｏに応じてドア開装置７を制御する。マイクロコンピュータ４２は、操作部８からのスイッチ信号Ｓｏに応じて切り替わる通常モードとドアスタンバイモードとを有している。具体的には、マイクロコンピュータ４２は、通常モードを実施しているときにスイッチ信号Ｓｏを検知するとドアスタンバイモードに移行する。またマイクロコンピュータ４２は、ドアスタンバイモード時にスイッチ信号Ｓｏを再び検知した場合に、開動作を行うようドア開装置７を制御して通常モードに戻る。
【００３９】
またマイクロコンピュータ４２は、予め設定されているプログラムに従って、洗浄及び乾燥等の運転を制御する。マイクロコンピュータ４２は、操作部８の図示していないスタートスイッチから信号を受信すると運転を開始する。具体的には、マイクロコンピュータ４２は、水量検出装置５４からの信号に基づき給水弁５１の開閉を制御し、温度検出装置５６からの信号に応じて第１のヒータ５５への通電及び洗浄ポンプ５２への通電を制御することにより洗浄工程を行う。またマイクロコンピュータ４２は、送風機５８への通電と第２のヒータ５９への通電を制御することにより乾燥工程を行う。
【００４０】
図８は、本発明の実施の形態１に係るドア開装置の動作を示すフローチャートである。図８に基づき、制御装置４が行うドアオープン制御について説明する。制御装置４は、開スイッチ８０のスイッチ信号Ｓｏが検知されたか否かを判定する（ステップＳＴ１０）。利用者が開スイッチ８０に指で触れ、スイッチ信号Ｓｏが検知されると（ステップＳＴ１０；ＹＥＳ）、通常モードからドアスタンバイモードに移行する（ステップＳＴ１１）。一方、開スイッチ８０が操作されず、スイッチ信号Ｓｏが検知されない場合には（ステップＳＴ１０；ＮＯ）、ステップＳＴ１０の判定が繰り返される。
【００４１】
利用者が開スイッチ８０に触れた指を離すと、開スイッチ８０はＯＦＦ状態になり、スイッチ信号Ｓｏは検知されなくなる（ステップＳＴ１２）。その後、制御装置４は再び、開スイッチ８０のスイッチ信号Ｓｏが検知されたか否かを判定する（ステップＳＴ１３）。スイッチ信号Ｓｏが検知されない場合には（ステップＳＴ１３；ＮＯ）、ステップＳＴ１３の判定が繰り返される。一方、利用者が再び開スイッチ８０を操作し、スイッチ信号Ｓｏが検知されると（ステップＳＴ１３；ＹＥＳ）、制御装置４は、開動作を行うようドア開装置７を制御する（ステップＳＴ１４）。ドア開装置７により、洗浄槽２が開口部１ａから前方（図２の矢印Ｙ１方向）に押し出され、ドア１０が開く。その後、制御装置４はドアスタンバイモードから通常モードに戻り、ドアオープン制御が終了する。
【００４２】
以上のように、実施の形態１の食器洗い機１００において、制御装置４は、操作部８からのスイッチ信号Ｓｏを検知するとドアスタンバイモードに移行する。そして制御装置４は、ドアスタンバイモード中にスイッチ信号Ｓｏを検知しなくなった後、スイッチ信号Ｓｏを検知した場合に、ドア開装置７に開動作を行わせる。これにより、操作部８が１度操作されたときにはドア１０は開かず、２度操作された場合に開動作が実行されるので、利用者が操作部８に接触した場合に誤動作によりドア１０が開くのを防止できる。
【００４３】
また操作部８は、接触を検知するタッチスイッチを有する。これにより、２度の操作を要する場合でも、触れる操作でスイッチ信号Ｓｏを出力できるため、誤操作を低減しつつ操作性を向上させることができる。
【００４４】
実施の形態２．
図９は、本発明の実施の形態２に係るドア開装置の動作を示すフローチャートである。実施の形態２において、ドアスタンバイモードに移行したとき、洗浄及び乾燥等の運転を停止する点が、実施の形態１の場合と異なる。図２及び図９に基づき、実施の形態２の場合のドアオープン制御について説明する。
【００４５】
実施の形態２のドアオープン制御において、制御装置４が通常モードからドアスタンバイモードに移行すると（ステップＳＴ２１）、洗浄装置の運転を停止させる（ステップＳＴ２２）。例えば、洗浄工程が実施されているときには、制御装置４は、給水弁５１を閉じ、第１のヒータ５５及び洗浄ポンプ５２への通電を停止させる。また乾燥工程が実施されているときには、制御装置４は、第２のヒータ５９及び送風機５８への通電を停止させる。
【００４６】
このように、ドアスタンバイモード時に洗浄装置の運転が停止される構成では、制御装置４は、運転を停止させる前に実行中の工程を記憶し、洗浄槽２が洗浄機本体１内に完全に収納された後、中断された工程から運転が再開されるよう構成されるとよい。
【００４７】
以上のように、実施の形態２において、制御装置４は、ドアスタンバイモードに移行したとき、洗浄装置の運転を停止する。これにより、ドア１０が開くことを予測し、事前に洗浄装置の運転を停止しておくことができる。したがって、利用者の操作により再びスイッチ信号Ｓｏが検知された場合に、ドア１０をすぐ開くことができる。ドア１０が開放されたときに洗浄装置の運転は停止しているので、食器洗い機１００の外部に洗浄水が噴射されること等を防止することができる。
【００４８】
実施の形態３．
図１０は、本発明の実施の形態３に係るドア開装置の動作を示すフローチャートである。実施の形態３において、ドアスタンバイモードに移行したことが利用者に報知される点が、実施の形態２の場合と異なる。図１及び図１０に基づき、実施の形態３の場合のドアオープン制御について説明する。
【００４９】
実施の形態３のドアオープン制御において、利用者により開スイッチ８０が操作され、制御装置４が通常モードからドアスタンバイモードに移行するとき（ステップＳＴ３１）、制御装置４は報知部９を制御して報知させる（ステップＳＴ３２）。例えば、報知部９がランプである場合には、制御装置４はランプを点灯又は点滅させるよう制御する。報知が行われた後の動作は、実施の形態２の場合と同じであるため、説明を省略する。
【００５０】
このような構成によれば、ドアスタンバイモードに移行したことが、ドア１０に設けられた報知部９の光により利用者に対して表示されるため、利用者は視覚的に認識し易い。したがって、操作部８が一度操作されており、再度操作されるとドア１０が開くことを利用者に認識させ、意図せず接触した場合には次に接触しないよう注意を促すことができる。
【００５１】
なお、報知部９がブザーを有している場合には、ブザー音により利用者に報知してもよい。これにより、利用者がキッチンのシンク等で作業中である場合でも、ドアスタンバイモードに移行したことを気付かせることができる。
【００５２】
以上のように、実施の形態３の食器洗い機１００は、ドアスタンバイモードに移行したことを報知する報知部９を備えている。これにより、利用者はドア１０の制御状態を知ることができ、意図せず開スイッチ８０に接触した場合には次に接触しないよう注意することができる。
【００５３】
実施の形態４．
図１１は、本発明の実施の形態４に係るドア開装置の動作を示すフローチャートである。実施の形態４において、ドアスタンバイモードの有効時間Ｔｖが設定されている点が、実施の形態３の場合と異なる。図１１に基づき、実施の形態４の場合のドアオープン制御について説明する。
【００５４】
通常モードからドアスタンバイモードに移行して報知し、洗浄装置の運転が停止され、開スイッチ８０がオフになるまでの動作は、実施の形態３の場合と同じであるため説明を省略する。実施の形態４において、制御装置４は、ドアスタンバイモードが開始してからの経過時間Ｔｓが、予め設定された有効時間Ｔｖ（例えば１０秒）以内であるか否かを判定する（ステップＳＴ４５）。
【００５５】
経過時間Ｔｓが有効時間Ｔｖを過ぎた場合（ステップＳＴ４５；ＮＯ）、制御装置４はドアスタンバイモードを解除し（ステップＳＴ４８）、通常モードに戻る。通常モードに戻ると、制御装置４は停止していた洗浄装置の運転を再開させる（ステップＳＴ４９）。
【００５６】
一方、経過時間Ｔｓが有効時間Ｔｖ以内である場合（ステップＳＴ４５；ＹＥＳ）、制御装置４は、開スイッチ８０のスイッチ信号Ｓｏが検知されたか否かを判定する（ステップＳＴ４６）。開スイッチ８０が操作されず、スイッチ信号Ｓｏが検知されない場合（ステップＳＴ４６；ＮＯ）、制御装置４は、ステップＳＴ４５の処理に戻る。ドアスイッチモード時に開スイッチ８０が再び操作され、スイッチ信号Ｓｏが検知されると（ステップＳＴ４６；ＹＥＳ）、制御装置４は、開動作を行うようドア開装置７を制御する（ステップＳＴ４７）。
【００５７】
以上のように、実施の形態４において、制御装置４は、ドアスタンバイモードに移行して、開動作が行われる前に有効時間Ｔｖが経過した場合、ドアスタンバイモードを解除する。これにより、ドアスタンバイモードが長期維持されるのを回避でき、通常モードに戻って中断された運転等を続行することができる。
【００５８】
実施の形態５．
図１２は、本発明の実施の形態５に係るドア開装置の動作を示すフローチャートである。実施の形態５において、開スイッチ８０からのスイッチ信号Ｓｏが一定時間連続して検知された場合にもスタンバイモードが解除される点、並びにスイッチ信号が再びＯＦＦになったときに開動作が開始される点が、実施の形態４の場合とは異なる。図１２に基づき、実施の形態４の場合のドアオープン制御について説明する。
【００５９】
通常モードからドアスタンバイモードに移行して報知し、洗浄装置の運転が停止されるまでの動作は、実施の形態４の場合と同じであるため説明を省略する。利用者が開スイッチ８０に触れた状態が維持され、制御装置４は連続してスイッチ信号Ｓｏを検知している状態である。
【００６０】
制御装置４は、ドアスタンバイモードが開始してからの経過時間Ｔｓが設定時間Ｔａ（例えば１０秒）以内であるか否かを判定する（ステップＳＴ５４）。経過時間Ｔｓが設定時間Ｔａ以内である場合（ステップＳＴ５４；ＹＥＳ）、制御装置４は、開スイッチ８０がオフになったか否かを判定する（ステップＳＴ５５）。開スイッチ８０がオフになっていない場合（ステップＳＴ５５；ＮＯ）、ステップＳＴ５４の処理に戻る。
【００６１】
開スイッチ８０がオフにならずに設定時間Ｔａが過ぎた場合（ステップＳＴ５４；ＮＯ）、制御装置４は、ドアスタンバイモードを解除し（ステップＳＴ６１）、通常モードに戻る。通常モードに戻ると、制御装置４は停止していた洗浄装置の運転を再開させる（ステップＳＴ６２）。例えば、ビルトイン型の食器洗い機１００では、利用者の膝等が開スイッチ８０に触れ続ける場合が想定されるが、このような場合でも、設定時間Ｔａが経過した後にドアスタンバイモードが解除される。
【００６２】
一方、設定時間Ｔａ以内に開スイッチ８０がオフになると（ステップＳＴ５５；ＹＥＳ）、制御装置４は、経過時間Ｔｓが有効時間Ｔｖ（例えば１０秒）以内であるか否かを判定する（ステップＳＴ５６）。経過時間Ｔｓが有効時間Ｔｖ以内である場合（ステップＳＴ５６；ＹＥＳ）、制御装置４は、開スイッチ８０からのスイッチ信号Ｓｏが再び検知されたか否かを判定する（ステップＳＴ５７）。開スイッチ８０が操作されず、スイッチ信号Ｓｏが検知されない場合（ステップＳＴ５７；ＮＯ）、ステップＳＴ５６の処理に戻る。
【００６３】
開スイッチ８０が操作されずに有効時間Ｔｖが過ぎた場合（ステップＳＴ５６；ＮＯ）、制御装置４は、ドアスタンバイモードを解除し（ステップＳＴ６１）、通常モードに戻って洗浄装置の運転を再開させる（ステップＳＴ６２）。
【００６４】
一方、有効時間Ｔｖ以内に開スイッチ８０が再び操作されると（ステップＳＴ５７；ＹＥＳ）、制御装置４は、経過時間Ｔｓが設定時間Ｔａ（例えば１０秒）以内であるか否かを判定する（ステップＳＴ５８）。経過時間Ｔｓが設定時間Ｔａ以内である場合（ステップＳＴ５８；ＹＥＳ）、制御装置４は、開スイッチ８０がオフになったか否かを判定する（ステップＳＴ５９）。開スイッチ８０がオフになっていない場合（ステップＳＴ５９；ＮＯ）、ステップＳＴ５８の処理に戻る。
【００６５】
開スイッチ８０がＯＦＦ状態にならずに設定時間Ｔａが過ぎた場合（ステップＳＴ５８；ＮＯ）、制御装置４は、ドアスタンバイモードを解除し（ステップＳＴ６１）、通常モードに戻って洗浄装置の運転を再開させる（ステップＳＴ６２）。
【００６６】
一方、有効時間Ｔｖ以内に開スイッチ８０が再びＯＦＦ状態になると（ステップＳＴ５９；ＹＥＳ）、制御装置４は、開動作を行うようドア開装置７を制御する（ステップＳＴ６０）。その後、制御装置４はドアスタンバイモードから通常モードに戻り、ドアオープン制御が終了する。
【００６７】
以上のように、実施の形態５において、制御装置４は、スイッチ信号Ｓｏが設定時間Ｔａ連続して検知される場合にドアスタンバイモードを解除する。これにより、例えば意図せず利用者の体の一部が操作部８に触れている場合に、ドアスタンバイモードが長期維持されるのを回避でき、通常モードに戻って洗浄装置の運転を再開することができる。
【００６８】
また制御装置４は、ドアスタンバイモード中にスイッチ信号Ｓｏを検知した後、スイッチ信号Ｓｏを検知しなくなったときにドア開装置７を制御する。これにより、利用者の手が操作部８から離れた後にドア１０が開くので、利用者が指を操作部８にかざした状態のままドア１０が開放されて衝突するのを防止でき、安全性が確保できる。
【００６９】
なお、本発明の実施の形態は上記実施の形態に限定されず、種々の変更を行うことができる。例えば、実施の形態５において、有効時間Ｔｖと設定時間Ｔａとが１０秒である場合を例に説明したが、設定時間Ｔａを有効時間Ｔｖより短く設定してもよい。また設定時間Ｔａは、ドアスタンバイモード開始からの時間として説明したが、スイッチ信号Ｓｏが検知されたときから設定時間Ｔａが経過した場合にドアスタンバイモードが解除されるよう構成されてもよい。
【００７０】
また、報知部９により報知される構成では、ドアスタンバイモードに移行して解除されるまで、ランプの点灯又は点滅が続くよう構成されてもよい。これにより、利用者は、ドアスタンバイモードが有効であることを認識できる。
【符号の説明】
【００７１】
１  洗浄機本体、１ａ  開口部、１ｃ  後壁、２  洗浄槽、２ａ  底板、２ｂ  下部、３  内蓋、４  制御装置、７  ドア開装置、８  操作部、９  報知部、１０  ドア、１１  上部化粧パネル、１２  下部化粧パネル、１３  操作パネル、２１  食器、２２  食器かご、２３  レール、２４  排気口、４１  制御基板、４２  マイクロコンピュータ、４３  ヒータ駆動回路、４４  給水弁駆動回路、４５  洗浄ポンプ駆動回路、４６  排水ポンプ駆動回路、４７  送風機駆動回路、４８  報知部駆動回路、４９  ドア開装置駆動回路、５１  給水弁、５２  洗浄ポンプ、５３  洗浄ノズル、５４  水量検出装置、５５  第１のヒータ、５６  温度検出装置、５７  排水ポンプ、５８  送風機、５９  第２のヒータ、６１  ラッチ装置、６２  ドア開放検知装置、６２ａ  磁石、６２ｂ  リードスイッチ、６３  過電流検知装置、７１  本体部、７１ａ  シャフト溝、７１ｂ  保持部、７２  モータ、７２ａ  モータ軸、７３  ピニオンギア、７４  スライドシャフト、７４ａ  ラック部、７４ｂ  後方端、７６  閉検知スイッチ、８０  開スイッチ、８１  タッチスイッチ部、８１ａ  フランジ部、８１ｂ  孔部、８１ｃ  前面、８２  ゴム電極部、８３ａ、８３ｂ、８３ｃ、８３ｄ  電極パターン、１００  食器洗い機、２００  キッチンカウンタ、２００ａ  収容部、８２１  ゴム電極、Ｓｏ  スイッチ信号、Ｔａ  設定時間、Ｔｓ  経過時間、Ｔｖ  有効時間。
【図１】
2019165823.tif 000003
【図２】
2019165823.tif 000004
【図３】
2019165823.tif 000005
【図４】
2019165823.tif 000006
【図５】
2019165823.tif 000007
【図６】
2019165823.tif 000008
【図７】
2019165823.tif 000009
【図８】
2019165823.tif 000010
【図９】
2019165823.tif 000011
【図１０】
2019165823.tif 000012
【図１１】
2019165823.tif 000013
【図１２】
2019165823.tif 000014